(57)【要約】      （修正有）【課題】災害発生前から災害発生時の好ましい行動パターン等を容易に確認し得て、いざというときに有効に活用し得る防災マニュアル用カードを提供すること。【解決手段】全体をラミネートフィルムにより被覆された見開き可能な２つ折りの防災マニュアル用カード１であって、カードの見開きページにおける一方のページに災害発生時の好ましい行動パターンを示す複数の文章を表示すると共に、見開きページにおける他方のページに災害発生に備えて習慣としておくべき複数の文章を表示し、カードの表面側にカードが災害対策時のマニュアルである旨のタイトル３を表示すると共にカードの裏面側に非常時の持ち出すべき物品のチェックリストを表示し、さらに上記カードに緊急連絡先を記載し得る緊急連絡用小冊子を易剥離性の糊により着脱自在に貼着した。【選択図】図１
0003106225.tif 000002
【実用新案登録請求の範囲】
【請求項１】
全体をラミネートフィルムにより被覆された見開き可能な２つ折りの防災マニュアル用カードであって、
該カードの見開きページにおける一方のページに、災害発生時の好ましい行動パターンを示す複数の文章を表示すると共に、上記見開きページにおける他方のページには災害発生に備えて習慣としておくべき複数の文章を表示し、
上記カードの表面側に当該カードが災害対策時のマニュアルである旨のタイトルを表示すると共に、上記カードの裏面側に非常時の持ち出すべき物品のチェックリストを表示し、
さらに上記カードに緊急連絡先を記載し得る緊急連絡用小冊子を易剥離性の糊により着脱自在に貼着したものであることを特徴とする防災マニュアル用カード。
【請求項２】
上記チェックリストは、安全対策用品のチェックリスト、貴重品のチェックリスト、食料関係のチェックリスト、日用品のチェックリストの内の何れか１つ以上が表示されているものであることを特徴とする請求項１記載の防災マニュアル用カード。
【請求項３】
上記緊急連絡用小冊子は透明袋に収納した状態で、当該透明袋の外面に付着した易剥離性の糊により上記カードに貼着したものであることを特徴とする請求項１又は２記載の防災マニュアル用カード。
【請求項４】
上記緊急連絡用小冊子は、少なくとも当該小冊子の所持者に関する情報の記載欄、当該所持者の家族の緊急連絡先の記載欄、上記所持者の勤務先の緊急連絡先の記載欄が設けられているものであることを特徴とする請求項１〜３の何れかに記載の防災マニュアル用カード。
【請求項５】
上記緊急連絡用小冊子には、各地の公共ラジオ放送の受信周波数及び災害伝言ダイヤルが表示されているものであることを特徴とする請求項１〜４の何れかに記載の防災マニュアル用カード。
【考案の詳細な説明】
【技術分野】
【０００１】
本考案は、災害時の各種行動パターンや、緊急連絡先、緊急情報の入手先等、災害時に役立つ情報がマニュアル化されて記載された防災マニュアル用カードに関するものである。
【背景技術】
【０００２】
従来、災害時に本人を確認するための各種情報が記載された「防災手帳」なるものが提案されている（特許文献１）。この防災手帳は、この手帳の所持者である本人の氏名、同人の住所、生年月日、血液型の他、緊急連絡先、避難場所等が記載され、災害時に当該手帳を本人が携帯することにより、本人が災害に遭遇したときに本人確認が容易に行えるようにしたものである。
【０００３】
また、災害が発生したことを示す各種データをコンピュータに入力すると、その災害の程度に応じて実施すべき対策項目を抽出し、該項目を実施するためのガイダンスを表示する災害対策マニュアル表示用のコンピュータ装置も提案されている（特許文献２）。
【０００４】
【特許文献１】登録実用新案第３０１８５６４号公報
【０００５】
【特許文献２】特開平１０−３３４０７８号公報
【考案の開示】
【考案が解決しようとする課題】
【０００６】
ところで、上記防災手帳は、あくまでも災害に遭遇した本人の身元を第三者が確認するためのものであり、災害発生時の行動パターンや役立つ情報を災害発生前に確認する機能は有さない。
【０００７】
また、上記コンピュータ装置は、自治体等が使用するための大規模なシステムであり、個人が日常的に使用し得るものではない。
【０００８】
本考案は、このような従来の状況に鑑みてなされたものであり、いざ災害が発生したときに落ち着いて行動できるように、災害発生時の行動パターン等の各種情報が記載されたマニュアルであって、平常時にいつでも参照でき、しかも緊急連絡先や災害情報の入手先等の情報をも記載された防災マニュアル用カードを提供するものである。
【課題を解決するための手段】
【０００９】
本考案は上記課題を解決するために、
第１に、全体をラミネートフィルムにより被覆された見開き可能な２つ折りの防災マニュアル用カードであって、該カードの見開きページにおける一方のページに、災害発生時の好ましい行動パターンを示す複数の文章を表示すると共に、上記見開きページにおける他方のページには災害発生に備えて習慣としておくべき複数の文章を表示し、上記カードの表面側に当該カードが災害対策時のマニュアルである旨のタイトルを表示すると共に、上記カードの裏面側に非常時の持ち出すべき物品のチェックリストを表示し、さらに上記カードに緊急連絡先を記載し得る緊急連絡用小冊子を易剥離性の糊により着脱自在に貼着したものであることを特徴とする防災マニュアル用カードにより構成されるものである。
【００１０】
従って、当該カードを常備しておくことにより、災害発生時の各種行動パターンや災害発生に備えての習慣とすべき事項を常時容易に確認することができ、これによりいざ災害が発生した場合に落ち着いて行動をとることができる。また、緊急連絡用小冊子を携帯することにより、災害発生時の緊急連絡先をも確実に所持し得る。
【００１１】
第２に、上記チェックリストは、安全対策用品のチェックリスト、貴重品のチェックリスト、食料関係のチェックリスト、日用品のチェックリストの内の何れか１つ以上が表示されているものであることを特徴とする上記第１記載の防災マニュアル用カードにより構成されるものである。
【００１２】
第３に、上記緊急連絡用小冊子は透明袋に収納した状態で、当該透明袋の外面に付着した易剥離性の糊により上記カードに貼着したものであることを特徴とする上記第１又は２記載の防災マニュアル用カードにより構成されるものである。
【００１３】
これにより、上記小冊子をカードから外して携帯することもできるし、再度上記カードに貼着させておくことができる。
【００１４】
第４に、上記緊急連絡用小冊子は、少なくとも当該小冊子の所持者に関する情報の記載欄、当該所持者の家族の緊急連絡先の記載欄、上記所持者の勤務先の緊急連絡先の記載欄が設けられているものであることを特徴とする上記第１〜３の何れかに記載の防災マニュアル用カードにより構成されるものである。
【００１５】
第５に、上記緊急連絡用小冊子には、各地の公共ラジオ放送の受信周波数及び災害伝言ダイヤルが表示されているものであることを特徴とする上記第１〜４の何れかに記載の防災マニュアル用カードにより構成されるものである。
【考案の効果】
【００１６】
本考案によれば、本考案のカードを平常時に容易に確認し得る場所に保管しておくことにより、災害発生時の好ましい行動パターン及び災害発生に備えて習慣としておくべき事項を常時参照することができ、これによりいざ災害が発生したときに落ちついて行動することができる。
【００１７】
また、災害が発生したときも、当該カードを開くだけで好ましい行動パターンを迅速に参照することができるため、災害発生時の行動マニュアルとしても極めて有効に活用することができる。
【００１８】
また、チェックリストにより例えば短時間で準備しなければならないような緊急時等において、必要な持ち出し品を迅速にチェックすることができる。
【００１９】
また、緊急連絡先用小冊子により、緊急時にあわてずに必要箇所に連絡することができるし、デマ等に惑わされずに確実な情報に基づいて行動することができるものである。
【考案を実施するための最良の形態】
【００２０】
図１に防災マニュアル用カード１の全体形状を示す。
【００２１】
このカード１は、Ａ４サイズの用紙１”を中央折り曲げ線１’に沿って２つ折りにしてＡ５サイズの見開き２枚のカード１Ａ，１Ｂにより形成されており、用紙全体が透明の樹脂製ラミネートフィルム２でラミネートされた状態となっている。よって、当該カード１は全体が防水された状態となっている。
【００２２】
上記カード１Ａ，１Ｂは、ラミネート後に上記中央折り曲げ線１’を以って２つ折りに折り曲げて、同フィルム２の上記折り曲げ線１’に内側方向の折り癖を着け、両カード１Ａ、１Ｂが常に図１に示すように略閉鎖状態となるようにしておくことが好ましい。
【００２３】
３は上記カード１Ａの表側に表示された「防災マニュアル」との表示（災害対策時のマニュアルである旨のタイトル）であり、誰でも直ぐに本カードが防災マニュアルであることがわかるように例えば目立つ色等で印刷することが好ましい。尚、上記表示は「災害対策マニュアル」等、他の表示であっても良い。また、以下、上記カード１の表面（表紙）を１Ａ’、見開きページを各々内面１Ａ”、１Ｂ”、裏面（裏表紙）を１Ｂ’として表す。
【００２４】
図２は上記防災マニュアルカード１を見開きとした内面を示すものであり、カード１Ａの内面１Ａ”には、災害時（本実施形態では地震時）に心得るべき行動パターンを示すタイトル４、例えば「地震心得８か条」を表示すると共に、当該タイトル４の下方位置に８つの記載位置Ａ−１〜Ａ−８を設け、各位置に災害時の典型的な事象に対応した好ましい行動パターンが文章にて簡潔に表示されている（具体的には図３参照）。
【００２５】
図３に示すように、例えば記載位置Ａ−１内には、「わが身と家族の身の安全！」、記載位置Ａ−２内には「グラッっときたら火の始末。火が出たらすばやく消火！」、記載位置Ａ−３内には「あわてて戸外にとびだすな！」が表示され、以下図３に示すような各種行動パターンが各記載位置毎に文章で表示される。これらの記載位置Ａ−１〜Ａ−８は各々破線或いは実線５で区画され、各位置内に記載の文章を確認し易いようにしてある。尚、各記載位置Ａ−１〜Ａ−８内には上記図３に示す文章と共に、当該心得を一見して理解できるようなイラスト或いは記載された行動パターンに対応する災害事象をイメージするイラストを併せて表示しても良い。
【００２６】
次に、カード１Ｂ側の内面１Ｂ”には、主に災害発生前に心掛けておくべき事項、即ち、災害に発生に際して習慣としておくべき事項が記載されている。上記内面１Ｂ”の上部には「あなたは習慣にしていますか？」或いは「地震心掛け事項」等というタイトル６が記載されており、当該タイトル６の下方位置に５つの習慣にしておくべき事項の記載位置Ｂ−１〜Ｂ−５が設けられている（具体的には図４参照）。
【００２７】
例えば習慣にしておくべき事項の記載位置Ｂ−１内には、「いつも持ち歩いて役立つもの「サバイバルキット」リスト」「（１）小銭  （２）笛・・・・」等が表示され、記載位置Ｂ−２内には「スリッパと笛を家のくつろぐ場所に置くこと」等が表示され、記載位置Ｂ−３内には「いつも飲み水と洗い水をためること」等が表示されている。尚、上記事項の下部に、より詳細な説明文章を記載してもよい。例えば、上記記載位置Ｂ−３の上記文章の下にさらに「災害には断水はつきものです。常に非常用の水、また、消火の水をためておきましょう！」等の説明文章を記載しても良い。以下図４に示すような習慣にしておくべき事項が各記載位置Ｂ−４，Ｂ−５内に対応して文章で表示される。これらの記載位置Ｂ−１〜Ｂ−５は上記記載位置Ａ−１等と同様に各々破線或いは実線５で区画され、各位置内の文章を確認し易いようにしてある。尚、各記載位置Ｂ−１〜Ｂ−５内には上記記載位置Ａ−１等と同様に上記図４に示す文章と共に、当該心得を一見して理解できるようなイラストを併せて表示しても良い。
【００２８】
また、上記内面１Ａ“の上記記載位置Ａ−１等の上部、上記内面１Ｂ”の上記記載位置Ｂ−５等の下部の空欄にも災害時の注意事項等を示すイラスト等を表示して注意を喚起する構成としても良い。
【００２９】
図５は、本カード１Ｂの裏面１Ｂ’を示すものであり、当該裏面１Ｂ’上部には、「非常持ち出し袋チェックリスト」のタイトル７が表示されると共に、当該タイトル７の下方に非常時に持ち出すべき各種用品のチックリスト記載位置Ｃ−１〜Ｃ−４が設けられており、これら記載位置内に非常時持ち出し袋に入れた方が良い物品のチェックリスト（例えば図６に示すもの）が表示されている。
【００３０】
例えば、チェックリスト記載位置Ｃ−１内には、図６に示すように「安全対策」用、例えば「緊急衣料品」「体温計」「常備薬」等のチェックリストが記載され、チェックリスト記載位置Ｃ−２には「貴重品」用、例えば「現金」「印鑑・預金通帳」等のチェックリストが記載され、以下、記載位置Ｃ−３には「水」「カンパン」等の「食料関係」のチェックリスト、記載位置Ｃ−４には「カイロ」「携帯ラジオ」等の「日用品」関係のチェックリストが表示される。従って、非常時であっても、当該チェックリストをチェックすることにより、落ち着いて非常持ち出し袋内に必要なものを入れることができる。これらのチェックリストＣ−１〜Ｃ−４は全部表示することが好ましいが、災害の種類等に応じて何れか１つ以上を表示するように構成しても良い。尚、上記チェックリストは、方形のチェック欄７ａと物品名により構成されるが、これ以外の構成のリストであってもよい。
【００３１】
図５において、８は緊急連絡用小冊子であり、樹脂製の透明袋９内に小さく折りたたまれて収納されている（図７参照）。この透明袋９は上記小冊子８を収納した状態で、その上辺に沿って易剥離性糊１０が塗布され、当該糊１０によって上記カード１Ｂ裏面１Ｂ’の小冊子貼着位置１１（破線又は実線或いは色分け等で区画表示されている）に着脱自在に貼着されている。即ち、上記小冊子８を上記透明袋９内に収納し、その後上記透明袋９の上端部９ａを折り曲げて開口部を粘着テープ（図示せず）等で閉止した後、上記易剥離性糊１０により当該袋９を図５に示す設置位置１１に貼着する。
【００３２】
上記小冊子８は、図７に示すように、長方形の帯状の用紙を四つに折り曲げて形成されたものであり、表面側の一面８Ａ−１には、図８（ａ）に示す「災害緊急メモ」（この表示カードの所持者の氏名、生年月日、性別、住所、電話番号、血液型）等の記入欄１２を設け、同面８Ａ−１に隣接する一面８Ａ−２には、図８（ｂ）に示すように所持者の親兄弟の「緊急連絡先」の記載欄１３を設け、同面８Ａ−２に隣接する一面８Ａ−３には、図８（ｃ）に示すように親兄弟以外の緊急連絡先（例えば、所持者のご近所さん、学校、会社、銀行等）の記入欄１４を設ける。勿論、これらの記入欄１２〜１４には当該小冊子８の所持者が必要な情報を予め記入しておく。尚、上記緊急連絡用小冊子８のもう一つの一面８Ａ−４には、例えば所持者の友人の「緊急連絡先」等の記載欄を設けておくことが好ましい。
【００３３】
さらに、上記小冊子８の裏面８Ｂには、図８（ｄ）に示すように、公共放送（ＮＨＫ）第１ラジオの各地域の受信周波数が各地域毎に仕分けして予め印刷されている。また、当該裏面８Ｂに上記受信周波数と共に所定電話会社（例えばＮＴＴ）の災害用伝言ダイヤル（例えば「１７１」）をも印刷しておくことが好ましい。
【００３４】
上記小冊子８は、易剥離性の糊１０を持って上記カード１裏面１Ｂに貼着しておき、災害時に取り外して携帯し得るようにしても良いし、当初から上記カード１とは分離して常時携帯しておいても良い。
【００３５】
１５は上記カード１の中央折り曲げ部１’上部に穿設された吊下げ孔であり、当該孔１５に紐等を通して、直ぐに取り出せるところに吊下げておくことができるように構成している。
【００３６】
本考案の防災マニュアル用カード１は上述のように構成されているものであるから、例えば平常時に容易に確認し得る場所に保管しておくことにより、記載位置Ａ−１〜Ａ−８に表示された災害発生時の好ましい行動パターン及び記載位置Ｂ−１〜Ｂ−５に表示された災害発生に備えて習慣としておくべき事項を常時確認することができ、災害が発生したときの行動を常時参照することができ、これによりいざ災害が発生したときに落ちついて行動をとることができる。
【００３７】
また、災害が発生したときも、当該カードを開くだけで、上記災害発生時の好ましい行動パターン等を迅速に確認することができるため、災害発生時の行動マニュアルとしても極めて有効に活用することができる。
【００３８】
また、記載位置Ｃ−１〜Ｃ−４のチェックリストは災害発生時に、持ち出しすべき物品を容易に確認することができるため、例えば短時間で準備しなければならないような緊急時或いは非常時において、極めて有効に活用することができるものである。
【００３９】
さらに、緊急連絡先用小冊子８を常時携帯することにより、緊急時にあわてずに必要箇所に連絡することができるし、必要な情報を公共放送ラジオから確実に得ることができ、デマ等に惑わされずに確実な情報に基づいて行動することができるものである。
【００４０】
また、上記小冊子８に必要事項を記入して当該防災マニュアルカードに貼着しておくことによって、災害発生時に当該小冊子を当カード１から取り外して携帯することができ、これにより、災害発生時に必要な連絡先がわからない、というような事態を容易に回避することができる。
【図面の簡単な説明】
【００４１】
【図１】本考案に係る防災マニュアル用カードの正面側の全体を示す斜視図である。
【図２】同上カードを開いた状態を示す図である。
【図３】同上カードの記載位置Ａ−１〜Ａ−８に表示される文書を示す図である。
【図４】同上カードの記載位置Ｂ−１〜Ｂ−５に表示される文書を示す図である。
【図５】同上カードの裏面側の全体を示す斜視図である。
【図６】同上カードの記載位置Ｃ−１〜Ｃ−４に表示される文書を示す図である。
【図７】同上カードの小冊子と収納用透明袋を示す図である。
【図８】（ａ）〜（ｃ）は同上小冊子に表示される緊急連絡先を示す図、（ｄ）は同上小冊子に表示されるラジオの周波数を示す図である。
【符号の説明】
【００４２】
１      防災マニュアル用カード
１Ａ’  表面
１Ａ”、１Ｂ”  内面
１Ｂ’  裏面
２      ラミネートフィルム
３、４  タイトル
６，７  タイトル
８      緊急連絡用小冊子
１０    易剥離性の糊
Ａ−１〜Ａ―８  記載位置
Ｂ−１〜Ｂ−５  記載位置
Ｃ−１−Ｃ−４  記載位置
【図１】
0003106225.tif 000003
【図２】
0003106225.tif 000004
【図３】
0003106225.tif 000005
【図４】
0003106225.tif 000006
【図５】
0003106225.tif 000007
【図６】
0003106225.tif 000008
【図７】
0003106225.tif 000009
【図８】
0003106225.tif 000010